(57)【要約】エレベータ装置（１０）は、２つのエレベータ装置構成要素（１４，１８）の間に設けられた少なくとも１つの非接触式永久磁石カプリング（２２）を含む。
2010516591.tif 000002
【特許請求の範囲】
【請求項１】
ガイドと、
かご装置と、
前記ガイドと前記かご装置との間に設けられた少なくとも１つの非接触式永久磁石カプリングと、を含むことを特徴とするエレベータ装置。
【請求項２】
前記少なくとも１つの非接触式永久磁石カプリングは、前記ガイドによって発生する振動から前記かご装置を実質的に切り離すように設けられていることを特徴とする請求項１記載のエレベータ装置。
【請求項３】
前記かご装置は、かごが取り付けられたかご枠を備えており、このかご枠は、前記ガイドに摺動可能に連結されており、前記少なくとも１つの非接触式永久磁石カプリングは、かごとかご枠との間に設けられていることを特徴とする請求項２記載のエレベータ装置。
【請求項４】
前記少なくとも１つの非接触式永久磁石カプリングは、
前記かごの頂部と前記かご枠との間に設けられた第１および第２の非接触式永久磁石カプリング部材を含むことを特徴とする請求項３記載のエレベータ装置。
【請求項５】
第１および第２の非接触式永久磁石カプリング部材は、
それぞれＮ極とＳ極とを有し、かつ前記かごの頂部にそれぞれ連結された第１、第２および第３の永久磁石と、
それぞれＮ極とＳ極とを有し、かつ前記かご枠にそれぞれ連結された第４、第５および第６の永久磁石と、を含み、
（ａ）第１、第２および第３の永久磁石のＮ極が、第４、第５および第６の永久磁石のＮ極と対向して配置されているか、もしくは、
（ｂ）第１、第２および第３の永久磁石のＳ極が、第４、第５および第６の永久磁石のＳ極と対向して配置されていることを特徴とする請求項４記載のエレベータ装置。
【請求項６】
前記ガイドは、１つまたは複数のローラガイドを含み、前記かご装置は、かごが取り付けられたかご枠を含み、前記少なくとも１つの非接触式永久磁石カプリングは、前記１つまたは複数のローラガイドと前記かご枠との間に設けられていることを特徴とする請求項２記載のエレベータ装置。
【請求項７】
前記少なくとも１つの非接触式永久磁石カプリングは、
それぞれＮ極とＳ極とを有し、かつ前記１つまたは複数のローラガイドの少なくとも１つにそれぞれ連結された第１、第２、第３、第４および第５の磁石と、
Ｎ極とＳ極とを有し、かつ前記かご枠に連結された第６の磁石と、を含み、
（ａ）第１、第２、第３、第４および第５の磁石のＮ極が、第６の磁石のＮ極と対向して配置されているか、もしくは、
（ｂ）第１、第２、第３、第４および第５の磁石のＳ極が、第６の磁石のＳ極と対向して配置されていることを特徴とする請求項６記載のエレベータ装置。
【請求項８】
複数の非接触式永久磁石カプリングが、
それぞれＮ極とＳ極を有し、かつ前記かご枠にそれぞれ連結された第１、第２、第３、第４および第５の磁石と、
Ｎ極とＳ極を有し、かつ前記１つまたは複数のローラガイドの少なくとも１つに連結された第６の磁石と、を含み、
（ａ）第１、第２、第３、第４および第５の磁石のＮ極が、第６の磁石のＮ極と対向して配置されているか、もしくは、
（ｂ）第１、第２、第３、第４および第５の磁石のＳ極が、第６の磁石のＳ極と対向して配置されていることを特徴とする請求項６記載のエレベータ装置。
【請求項９】
前記かご装置は、かごが連結されたかご枠を含み、このかご枠は、前記ガイドに摺動可能に連結されており、前記少なくとも１つの非接触式永久磁石カプリングは、前記かごと前記かご枠との間に設けられていることを特徴とする請求項１記載のエレベータ装置。
【請求項１０】
前記少なくとも１つの非接触式カプリングは、前記かご枠と前記かごとの間で力を伝達するように設けられていることを特徴とする請求項９記載のエレベータ装置。
【請求項１１】
前記少なくとも１つの非接触式永久磁石カプリングは、
前記かごの頂部と前記かご枠との間に設けられた第１および第２の非接触式永久磁石カプリング部材を含むことを特徴とする請求項１０記載のエレベータ装置。
【請求項１２】
第１および第２の非接触式永久磁石カプリング部材は、
それぞれＮ極とＳ極とを含み、かつ前記かごの頂部にそれぞれ連結された第１、第２および第３の永久磁石と、
それぞれＮ極とＳ極とを含み、かつ前記かご枠にそれぞれ連結された第４、第５および第６の永久磁石と、を含み、
（ａ）第１、第２および第３の永久磁石のＮ極が、第４、第５および第６の永久磁石のＮ極と対向して配置されているか、もしくは、
（ｂ）第１、第２および第３の永久磁石のＳ極が、第４、第５および第６の永久磁石のＳ極と対向して配置されていることを特徴とする請求項１１記載のエレベータ装置。
【請求項１３】
前記ガイドは、１つまたは複数のローラガイドを含み、前記かご装置は、かご枠を含み、前記少なくとも１つの非接触式永久磁石カプリングは、前記１つまたは複数のローラガイドと前記かご枠との間に設けられていることを特徴とする請求項１記載のエレベータ装置。
【請求項１４】
前記少なくとも１つの非接触式永久磁石カプリングは、前記１つまたは複数のローラガイドと前記かご枠との間で力を伝達するように設けられていることを特徴とする請求項１３記載のエレベータ装置。
【請求項１５】
前記少なくとも１つの非接触式永久磁石カプリングは、
それぞれＮ極とＳ極とを有し、かつ前記１つまたは複数のローラガイドの少なくとも１つにそれぞれ連結された第１、第２、第３、第４および第５の磁石と、
Ｎ極とＳ極とを有し、かつ前記かご枠に連結された第６の磁石と、を含み、
（ａ）第１、第２、第３、第４および第５の磁石のＮ極が、第６の磁石のＮ極と対向して配置されているか、もしくは、
（ｂ）第１、第２、第３、第４および第５の磁石のＳ極が、第６の磁石のＳ極と対向して配置されていることを特徴とする請求項１４記載のエレベータ装置。
【請求項１６】
前記少なくとも１つの非接触式永久磁石カプリングは、
それぞれＮ極とＳ極とを有し、かつ前記かご枠にそれぞれ連結された第１、第２、第３、第４および第５の磁石と、
Ｎ極とＳ極とを有し、かつ前記１つまたは複数のローラガイドの少なくとも１つに連結された第６の磁石と、を含み、
（ａ）第１、第２、第３、第４および第５の磁石のＮ極が、第６の磁石のＮ極と対向して配置されているか、もしくは、
（ｂ）第１、第２、第３、第４および第５の磁石のＳ極が、第６の磁石のＳ極と対向して配置されていることを特徴とする請求項１４記載のエレベータ装置。
【請求項１７】
エレベータ装置の第１および第２の構成要素を連結する装置であって、
エレベータ装置の第１および第２の構成要素の間に配置された少なくとも１つの非接触式永久磁石の対を含み、この非接触式永久磁石の対は、（ａ）複数の方向における第１および第２の構成要素の相対的移動を実質的に阻止し、かつ（ｂ）第１と第２の構成要素の間で力を伝達するように設けられていることを特徴とする装置。
【請求項１８】
第１および第２の構成要素は、かごと、このかごと１つまたは複数のガイドレールとの間に連結されたあらゆる構成要素と、の群から選択されることを特徴とする請求項１７記載の装置。
【請求項１９】
前記少なくとも１つの非接触式永久磁石の対は、
Ｎ極とＳ極とを有し、かつ第１の構成要素に連結された複数の第１の磁石と、
Ｎ極とＳ極とを有し、かつ第２の構成要素に連結された複数の第２の磁石と、を含み、
（ａ）第１の磁石のＮ極が、第２の磁石のＮ極と対向して配置されているか、もしくは、
（ｂ）第１の磁石のＳ極が、第２の磁石のＳ極と対向して配置されていることを特徴とする請求項１８記載の装置。
【請求項２０】
前記少なくとも１つの非接触式永久磁石の対は、
それぞれＮ極とＳ極とを有し、かつ第１の構成要素にそれぞれ連結された第１、第２、第３、第４および第５の磁石と、
Ｎ極とＳ極とを有し、かつ第２の構成要素に連結された第６の磁石と、を含み、
（ａ）第１、第２、第３、第４および第５の磁石のＮ極が、第６の磁石のＮ極と対向して配置されているか、もしくは、
（ｂ）第１、第２、第３、第４および第５の磁石のＳ極が、第６の磁石のＳ極と対向して配置されていることを特徴とする請求項１８記載の装置。
【請求項２１】
前記少なくとも１つの非接触式永久磁石の対は、
それぞれＮ極とＳ極とを有し、かつ第１の構成要素にそれぞれ連結された第１、第２および第３の磁石と、
それぞれＮ極とＳ極とを有し、かつ第２の構成要素にそれぞれ連結された第４、第５および第６の磁石と、を有し、
（ａ）第１、第２および第３の磁石のＮ極が、第４、第５および第６の磁石のＮ極と対向して配置されているか、もしくは、
（ｂ）第１、第２および第３の磁石のＳ極が、第４、第５および第６の磁石のＳ極と対向して配置されていることを特徴とする請求項１８記載の装置。
【発明の詳細な説明】
【技術分野】
【０００１】
本発明は、カプラに連結された１つの構成要素をカプラに連結された第２の構成要素から物理的に切り離す非接触式カプラに関し、特に、エレベータかごをかごが走行するガイドレールから切り離すカプラに関する。
【背景技術】
【０００２】
典型的なエレベータ装置は、エレベータ昇降路内で昇降ロープの反対側の端部にそれぞれ吊り下げられたエレベータかごと釣合いおもりとを有する。装置によっては、エレベータかごは、昇降ロープが取り付けられたかご枠に取り付けられている。エレベータ装置は、昇降路の対向する側面に取り付けられ、かつ昇降路の長さにわたって延在するガイドレールをさらに含む。一群のローラガイドがエレベータかごまたはかご枠に連結されており、かごまたはかご枠を昇降路内でガイドレールに沿って上下に案内する。
【０００３】
エレベータ装置では、エレベータかごの乗り心地に影響を与える要因が複数ある。このような要因の１つは、昇降路の全長である。比較的長い昇降路では、昇降路内に比較的多くのガイドレールセグメントを積み重ねることが必要となり、ガイドレールセグメントの間に比較的多くの接続部が生じる。ガイドレールセグメントの数が多いとガイドレールの総重量が大きくなり、ガイドレールセグメントの重量が増加すると、昇降路内でレールが偏向しまう。また、ガイドレールセグメントの間の接合部において不連続性が生じる。レールの僅かな偏向や接合部の微小な不連続性であっても、エレベータかごの振動および横方向移動を生じさせてしまう。
【０００４】
レールの欠陥がエレベータかごの乗り心地へ及ぼす悪影響を最小にするため、ローラガイドアセンブリは、一般に懸架装置および減衰装置を含む。しかし、従来のローラガイドアセンブリでは、減衰に要求される剛性と懸架に要求される緩衝とを釣り合わせるのに苦労してきた。さらに、従来の装置は、振動や騒音がエレベータ装置の一部から別の部分、特にガイドレールからエレベータかごに伝達される物理的な経路を提供し続けてきた。その意味では、従来の装置は、ガイドレールの偏向および不連続性によって生じる振動や騒音からエレベータかごを真に切り離すことができていない。
【発明の概要】
【発明が解決しようとする課題】
【０００５】
従来のエレベータ装置では、電磁カプラを使用してガイドレールの欠陥がエレベータかごの乗り心地に与える影響を低減させることもなされている。しかし、電磁カプラは、種々の難点を有する。電磁カプラは、カプラに含まれる電磁石を駆動する電源が故障したときに機能停止する。このようなカプラはフェイルセイフな手段を含みうるが、それでも電磁カプラではエレベータの安全性が問題となる。電磁カプラは、動作時に余分な電力を消費し、このようなカプラを使用するエレベータ装置にの質量を増加させる。さらに、電磁カプラは、かなり高価なので、商業的なエレベータ装置用途における実際的な使用が妨げられている。
【０００６】
これらの点を踏まえて、本発明の目的は、エレベータ装置で問題となっている上述の問題の１つまたは複数を解決することである。
【課題を解決するための手段】
【０００７】
本発明は、ガイド、かご装置およびガイドとかご装置との間に配置された少なくとも１つの非接触式永久磁石カプリングを備えるエレベータ装置を含む。
【０００８】
本発明は、さらに、第１および第２のエレベータアセンブリ構成要素の間に配置された少なくとも１つの非接触式永久磁石を備える、エレベータアセンブリの第１および第２の構成要素を連結する装置を含む。非接触式の永久磁石の対は、複数の方向における第１および第２の構成要素の相対的な移動を実質的に阻止するとともに、第１および第２の構成要素の間で力を伝達するように設けられている。
【０００９】
本発明の実施例は、エレベータかごとガイドレールの間において、エレベータ装置構成要素の間の相対的な移動を実質的に阻止するとともに、これらの構成要素の間で力を伝達する連結部をエレベータ装置構成要素の間に提供し、同時にガイドレールの欠陥によって発生する振動からエレベータかごを実質的に物理的に切り離す。
【００１０】
上述の概要および以下の詳細な説明は、単に例示的なものであり、請求項に記載された発明を限定するものではない。
【図面の簡単な説明】
【００１１】
【図１】エレベータ装置の説明図である。
【図２】本発明に係る非接触式カプリングの実施例を含むエレベータ装置の説明図である。
【図３】図２のエレベータ装置の非接触式カプリングの詳細な分解説明図である。
【図４】本発明に係る非接触式カプリングの他の実施例の詳細説明図である。
【図５】図４に示す非接触式カプリングの拡大図である。
【発明を実施するための形態】
【００１２】
全図を通して、対応部および相当部には同一もしくは同様の参照符号を付している。
【００１３】
図１は、ケーブル１２、かご枠１４、かご１６、ローラガイド１８およびガイドレール２０を含むエレベータ装置１０を示している。ケーブル１２は、昇降路内でかご枠１４と釣合いおもりに連結されている。かご枠１４に取り付けられたかご１６は、ケーブル１２を介してかご枠１４に伝達される力によって昇降路内を上下に移動する。ローラガイド１８は、かご枠１４に取り付けられており、かご枠１４とかご１６とをガイドレール２０に沿って昇降路内で上下に案内する。
【００１４】
ガイドレール２０の欠陥は、かご枠１４ひいてはかご１６を昇降路内で振動および移動させることで乗り心地に影響を与えうる。かご１６の乗り心地に影響を与える要因には種々のものがある。上述したように、そのうちの２つは、（ａ）ガイドレール２０のセグメントが偏向するおそれに直接関連する昇降路の全長と、（ｂ）ガイドレール２０のセグメントの間の接合部における潜在的な不連続性である。ガイドレール２０の偏向および不連続性は、僅かであってもローラガイド１８およびかご枠１４からかご１６に伝達されうる振動や騒音を発生させる。
【００１５】
図２は、本発明の非接触式カプリング２２の一実施例を含むエレベータ装置１０を示している。図２では、エレベータ装置１０は、かご枠１４、かご１６、ローラガイド１８、ガイドレール２０および４個の非接触式カプリング２２を含む。非接触式カプリング２２は、ローラガイド１８をかご枠１４に連結する。カプリング２２は、かご枠１４とローラガイド１８との間の相対的な移動を阻止し、かつこれらの間で力を伝達するように設けられている。また、カプリング２２は、かご枠ひいてはかご１６をローラガイド１８から実質的に物理的に切り離す。この実施例では、かご枠１４とローラガイド１８との間の４個の連結部において、かご１６とガイドレール２０との間にカプリングを配置することによって、かご１６がガイドレール２０によって発生する乱れから実質的に物理的に切り離される。例えば、図２に示すエレベータ装置１０では、僅かな偏向や不連続性によって生じるガイドレール２０の欠陥は、ローラガイド１８がガイドレール２０に沿って走行するときにローラガイド１８の偏向や振動を引き起こす。しかし、かご枠１４とローラガイド１８との間のカプリング２２によって、ローラガイド１８の偏向または振動がかご１６まで伝達される物理的な経路が実質的に取り除かれるので、かご１６は実質的に上述のようなガイドレール２０の欠陥の影響を受けない。
【００１６】
図３は、非接触式カプリング２２の一実施例の分解説明図であり、第１の磁石２４、第２の磁石２６、第３の磁石２８、第４の磁石３０、第５の磁石３２および第６の磁石３４を含む。これらの磁石２４〜３４は、Ｎ極とＳ極の磁極をそれぞれ有する。第１、第２、第３、第４および第５の磁石２４〜３２は、図２に示すようにローラガイド１８の１つに連結することができる。第６の磁石３４は、図２に示すように、かご枠１４に連結することができる。組み立てられた状態では、第１、第２、第３および第４の磁石２４〜３０は、第６の磁石３４の周りに設けられ、第１、第２、第３および第４の磁石２４〜３０のＳ極は、第６の磁石３４のＳ極と対向して配置される。第５の磁石３２は、第６の磁石３４の端部から横方向に設けられ、第５の磁石のＳ極は、第６の磁石３４のＳ極と対向して配置される。
【００１７】
図２，図３に示す構成では、非接触式カプリング２２は、組み立てられた状態でかご枠とローラガイド１８との間の相対的な移動を実質的に阻止するとともにこれらの間で力を伝達し、同時にかご枠１４ひいてはかご１６をローラガイド１８の振動から実質的に物理的に切り離す。各々の磁石の対、例えば、カプリング２２の第１の磁石２４と第６の磁石３４または第５の磁石３２と第６の磁石３４は、互いとは反対の磁界を発生し、これにより相対的な移動を阻止するとともに単一の方向に力を伝達する。例えば、第１の磁石２４の磁界は、第６の磁石３４の磁界に反発し、第６の磁石３４が第１の磁石に向かって上向きに移動するのを阻止する。同時に、第３の磁石２８の磁界も第６の磁石３４の磁界に反発し、第６の磁石３４が第３の磁石２８に向かって下向きに移動するのを阻止する。結果として、第６の磁石３４は、第１および第３の磁石２４，２８の間で実質的に浮動する。さらに、第６の磁石３４は、同様に第２および第４の磁石２６，３２の間で実質的に浮動する。
【００１８】
第６の磁石３４は、第１、第２、第３および第４の磁石２４，２６，２８，３０の間で実質的に浮動するので、第６の磁石３４の移動は上下前後の４方向で阻止される（即ち、移動が二次元で阻止される）。さらに、第６の磁石３４は、第５の磁石３２の反対方向の磁界によって図３の左方向への移動も阻止されている。以下で説明するように、第６の磁石３４の右方向への移動も阻止することができる（すなわち、移動を第三次元で阻止することもできる）。
【００１９】
図３に示したカプリング２２は、相対的な移動を阻止し、かつ５方向（即ち、上下前後および左方向）に力を伝達するように設けられている。かごの右方向の移動およびかごに働く右方向の力は、図３に示す非接触式カプリング２２の反対側に第２の非接触式カプリングを設けることによって阻止することができる。このような構成の例が図２に示されている。従って、図３に示すカプリング２２は、互いとは反対側にカプリング２２が配置された対として用いることができ、これにより、６方向（即ち、三次元）での相対的な移動が阻止され、同時に６方向の全てにおいてエレベータ装置構成要素の間の非接触の力の伝達が可能となる。また、非接触式カプリング２２は、ローラガイド１８からかご枠１４ひいてはかご１６を実質的に物理的に切り離す。従って、カプリング２２は、ガイドレール２０の欠陥によって生じるローラガイド１８の振動がかご１６へ伝達される物理的な経路を取り除くように構成されている。
【００２０】
第１および第６の磁石２４，３４の間と第３および第６の磁石２８，３４の間の反発する磁界は、さらに、図示のように実質的に垂直とすることができる単一の次元での非接触の力の伝達を可能にする。例えば、図２に示すように、カプリング２２は、かご枠１４とローラガイド１８の１つとの間に連結可能である。かご枠１４ひいてはかご１６は、ケーブル１２（図１参照）によって昇降路内で上昇するので、第６の磁石３４の磁界が第１の磁石２４の反対方向の磁界を上向きに押し、ケーブル１２がかご枠１４およびかご１６に作用させる力をローラガイド１８の１つに伝達する。同様に、かご１６がケーブル１２によって昇降路内で下降すると、第６の磁石３４の磁界が第３の磁石の反対方向の磁界を下向きに押し、ケーブル１２がかご枠１４およびかご１６に作用させる力をローラガイド１８の１つに伝達する。
【００２１】
図２，図３のカプリング２２は、Ｓ極が対向するように配置された永久磁石を含むが、本発明のカプリングには、Ｎ極が対向するように配置された永久磁石も含まれる。さらに、かご枠１６およびローラガイド１８へのカプリング２２の配置およびカプリング２２の永久磁石２４〜３４の数、寸法および形状は、本発明の異なる実施例で変わりうる。本発明の実施例は、さらに、カプリング２２がかご枠１４とローラガイド１８との間に連結されることを必要としない。例えば、本発明の非接触式カプリングは、ローラガイド１８をかご１６に直接連結することができる。他の実施例では、本発明による非接触式カプリングは、かご枠１４とかご１６の間に連結可能である。
【００２２】
図４は、本発明の他の非接触式カプリング３６を示し、この非接触式カプリングは、ブラケット３８、第１の磁石４０、第２の磁石４２、第３の磁石４４、第４の磁石４６、第５の磁石４８および第６の磁石５０を含む。かご１６は、部分的に非接触式カプリング２６によってかご枠１４に取り付けられている。ブラケット３８は、かご枠１４に対向してかご１６の頂部に取り付けられている。第１、第２および第３の磁石４０，４２，４４は、かご１６のブラケット３８に取り付けられている。第４、第５および第６の磁石はかご枠１４に取り付けられている。
【００２３】
６個の永久磁石４０〜５０は、それぞれの磁石の対が互いに反発するように、それぞれＮ極およびＳ極の磁極を有する。例えば、第１の磁石４０と第４の磁石４６の対向するＮ極が図５に示されている。同様に、第２の磁石４２のＮ極を第５の磁石４８のＮ極と対向して配置することができる。また、第３の磁石４４のＮ極を第６の磁石５０のＮ極と対向して配置することができる。
【００２４】
非接触式カプリング３６は、かご１６の頂部とかご枠１４との間に非接触の連結部を提供することによって、昇降路内でかご枠１４に対してかご１６を固定する。非接触式カプリング３６は、かご枠１４とかご１６との間、例えば、かご１６の底部とかご枠１４との間の他の従来の接触式連結部とともに動作可能である。従って、非接触式カプリング３６は、かご１６を振動から完全に切り離さない場合もある。しかし、かご１６が振動から完全に切り離されていない場合でも、非接触式カプリング３６は、少なくともかご１６の頂部をかご枠１４から物理的に切り離し、かご枠１４を通ってかご１６の頂部に振動が伝達されうる物理的な経路を実質的に取り除いてガイドレールの欠陥によって発生する振動がかご枠１４からかご１６に伝達されるのをかなり低減させる。
【００２５】
図４に示す構成では、カプリング３６は、かご枠１４とかご１６の頂部との間の相対的な移動を実質的に阻止し、かつこれらの間で力を伝達するように設けられている。磁石の対の各々の磁石、例えば、カプリング３６の第１の磁石４０と第４の磁石４６または第２の磁石４２と第５の磁石４８は、対となった他方の磁石の磁界とは反対の磁界を発生させる。結果として、磁石の対は、相対的な移動を阻止するとともに、単一の次元で力を伝達する。例えば、第１の磁石４０の磁界は、第４の磁石４６の磁界に反発し、これにより、第１の磁石４０の方向における第４の磁石４６の前方移動が阻止される。同様に、第４の磁石４６の磁界は、第１の磁石４０の磁界に反発し、これにより、第４の磁石４６の方向における第１の磁石の後方移動が阻止される。
【００２６】
第１および第４の磁石４０，４６の反対の磁界によって形成された非接触式の連結部は、さらに、単一の次元でかご枠１４からかご１６の頂部を物理的に切り離す。非接触式カプリング３６は、かご枠１４とかご１６との間に連結されている。かご枠１４とかご１６とが昇降路内で上昇する（または下降する）に従って、かご枠１４はガイドレール（例えば、図１参照）の欠陥によって生じる振動を受け、このような振動は、ローラガイド（例えば、図１参照）によってかご枠１４に物理的に伝達される。しかし、非接触式カプリング３６は、かご枠１４の振動がかご１６の頂部に達するのを実質的に阻止する。例えば、かご枠１４を前方に移動させる振動は、第１の磁石４０と第４の磁石４６の反対の磁界および／または第３の磁石４４と第６の磁石５０の反対の磁界によって阻止されうる。
【００２７】
本発明の非接触式カプリングでの使用に適した永久磁石には、種々のものがある。永久磁石は、容易に入手可能であり、種々の形状、寸法および強さで提供されている。例えば、ネオジム磁石などの希土類磁石が、本発明の実施例での使用に適している。ネオジム磁石は、ネオジム、鉄およびホウ素の組合せ（ＮｄＦｅＢ）からなり、柱状体、ウェーハ、リング、球およびチューブ形状や他の多くの形状で市販されている。意図された用途に応じて、適切な場合にサマリウム−コバルトを含む他の様々な種類の永久磁石を本発明の非接触式カプリングで使用することができる。
【００２８】
本発明の非接触式カプリングおよびこのような非接触式カプリングを含むエレベータ装置の実施例は、エレベータかごの乗り心地の改善に関して従来の方法および装置に対して多くの利点を提供する。本発明の実施例は、エレベータかごとガイドレールとの間で、エレベータ構成要素の間の相対的な移動を実質的に阻止し、かつこれらの構成要素の間で力を伝達すると同時にガイドレールの欠陥によって生じる振動からエレベータかごを実質的に物理的に切り離す連結部をエレベータ装置の構成要素の間に提供するように設けられている。さらに、本発明の実施例は、かごとガイドレールとの間における複雑な懸架装置や減衰装置の必要性を減少させ、懸架装置の緩衝要件と減衰装置の剛性要件とを釣り合わせる困難性を取り除く。
【００２９】
上述の説明は、単に本発明に関する例示的なものであり、請求項を特定の実施例または一群の実施例に限定するものではない。よって、具体的な例示的実施例を参照して本発明を特に詳細に説明したが、以下の請求項に記載された本発明の比較的広い範囲から逸脱することなく、種々の改良や変更を行うことができる。
【００３０】
よって、明細書および図面は例示的なものと考えるべきであり、請求項の範囲を限定するものではない。本発明の上述の開示に照らして、当業者であれば本発明の範囲内に他の実施例や改良例が含まれることが分かるであろう。よって、本開示内容から当業者が到達しうる本発明の範囲内の全ての改良例は、本発明の範囲に含まれる。本発明の範囲は、以下の請求項によって定義されるものである。
【００３１】
本発明を好適実施例を参照して説明したが、当業者であれば本発明の趣旨と範囲から逸脱せずにその形態および詳細を変更することができることが分かるであろう。
【図１】
2010516591.tif 000003
【図２】
2010516591.tif 000004
【図３】
2010516591.tif 000005
【図４】
2010516591.tif 000006
【図５】
2010516591.tif 000007
【国際調査報告】
2010516591.tif 000008
2010516591.tif 000009